(57)【要約】【課題】  ブラジャーの着用時に、バストが上に持ち上げられ、且つ、内側に寄せられるようにする。【解決手段】  ブラジャー１の第一のカップ部２１と第二のカップ部２２の表側には、芯材が設けられた縦テープ部材９，９と芯材が設けられた横テープ部材１０が設けられている。縦テープ部材９，９と横テープ部材１０は、第一のカップ部２１と第二のカップ部２２の外側下方部において交差する。ブラジャー１を着用すると、縦テープ部材９，９は上方向に引っ張られ、横テープ部材１０は外方向に引っ張られる。これによって、バストが上方向に持ち上げられると共に、内側に寄せられ、美しいバストラインを作ることができる。【選択図】  図１
2014214400.tif 000002
【特許請求の範囲】
【請求項１】
第一及び第二のカップ部と、
前記カップ部間にあり、該カップ部を連結する土台部と、
前記カップ部からそれぞれ側方に延びる第一及び第二のバック部と、
前記カップ部からそれぞれ側方に延びる第一及び第二のパネルと、
前記第一及び第二のバック部と前記第一及び第二のパネルの先端に取り付けられた係止部と、
一端が前記カップ部の上端に取り付けられ、他端が前記係止部に取り付けられた第一及び第二のストラップと、
前記カップ部の表側において、前記ストラップから外側下縁部まで延在する一対の縦テープ部材と、
前記第一のパネルの前記第一のカップ部近傍から前記第二のパネルの前記第二のカップ部近傍まで至り、第一及び第二のカップ部の外側下方部において前記縦テープ部材と交差する、横テープ部材と、
からなるブラジャーにおいて、
前記一対の縦テープ部材には芯材が取り付けられていることを特徴とする、
ブラジャー。
【請求項２】
第一及び第二のカップ部と、
前記カップ部間にあり、該カップ部を連結する土台部と、
前記カップ部からそれぞれ側方に延びる第一及び第二のバック部と、
前記第一及び第二のバック部の先端に取り付けられた係止部と、
一端が前記カップ部の上端に取り付けられ、他端が前記係止部に取り付けられた第一及び第二のストラップと、
前記カップ部の表側において、前記ストラップから外側下縁部まで延在する一対の縦テープ部材と、
前記第一のストラップのバック部近傍から、前記第一のカップ部の下縁部近傍まで至る第一の伸縮性帯状テープと、前記第二のストラップのバック部近傍から、前記第二のカップ部の下縁部近傍まで至る第二の伸縮性帯状テープと、
両端が、それぞれ前記第一の伸縮性帯状テープの前記第一のカップ部近傍と前記第二の伸縮性帯状テープの前記第二のカップ部近傍に縫着され、前記第一及び第二のカップ部の外側下方部において前記縦テープ部材と交差する、横テープ部材と、
からなるブラジャーにおいて、
前記一対の縦テープ部材には芯材が取り付けられていることを特徴とする、
ブラジャー。
【請求項３】
前記一対の縦テープ部材は、カップ部の外側部に取り付けられた伸縮性リフトアップ部材の側縁に設けられたテープであることを特徴とする、請求項１又は２に記載のブラジャー。
【発明の詳細な説明】
【技術分野】
【０００１】
本発明は、カップ部を通るテープ部材に芯材を取り付けたブラジャーに関する。
【背景技術】
【０００２】
ブラジャーには、カップ部にボーンが設けられ、バストを内側に寄せるものがある。
【先行技術文献】
【特許文献】
【０００３】
【特許文献１】特開平９−３２４３０５
【特許文献２】特開２００３−１７１８０９
【発明の概要】
【発明が解決しようとする課題】
【０００４】
特許文献１に記載の発明では、当て布にボーンが設けられているが、いずれも、着用時にバストの外側下部分に取り付けてあり、バストをリフトアップするのに十分な力が働いていない。
【０００５】
特許文献２に記載の記載の発明にも、カップ部にボーンが設けられているが、肩ストラップにつながっておらず、バストを持ち上げる力がボーンに直接伝わらない。
【０００６】
本発明は、上記の問題を解決し、バストを適切に、持ち上げ且つ内側に寄せるブラジャーである。
【課題を解決するための手段】
【０００７】
本発明のブラジャーは、第一及び第二のカップ部と、カップ部間にあり、カップ部を連結する土台部と、カップ部からそれぞれ側方に延びる第一及び第二のバック部と、カップ部からそれぞれ側方に延びる第一及び第二のパネルと、第一及び第二のバック部と第一及び第二のパネルの先端に取り付けられた係止部と、一端がカップ部の上端に取り付けられ、他端が係止部に取り付けられた第一及び第二のストラップと、カップ部の表側において、ストラップから外側下縁部まで延在する一対の縦テープ部材と、第一のパネルの第一のカップ部近傍から第二のパネルの第二のカップ部近傍まで至り、第一及び第二のカップ部の外側下方部において縦テープ部材と交差する、横テープ部材と、からなるブラジャーにおいて、一対の縦テープ部材には芯材が取り付けられている、ことを特徴としている。
【０００８】
また、本発明のブラジャーは、第一及び第二のカップ部と、カップ部間にあり、カップ部を連結する土台部と、カップ部からそれぞれ側方に延びる第一及び第二のバック部と、第一及び第二のバック部の先端に取り付けられた係止部と、一端がカップ部の上端に取り付けられ、他端が係止部に取り付けられた第一及び第二のストラップと、カップ部の表側において、ストラップから外側下縁部まで延在する一対の縦テープ部材と、第一のストラップのバック部近傍から、第一のカップ部の下縁部近傍まで至る第一の伸縮性帯状テープと、第二のストラップのバック部近傍から、第二のカップ部の下縁部近傍まで至る第二の伸縮性帯状テープと、両端が、それぞれ第一の伸縮性帯状テープの第一のカップ部近傍と第二の伸縮性帯状テープの第二のカップ部近傍に縫着され、第一及び第二のカップ部の外側下方部において縦テープ部材と交差する、横テープ部材と、からなるブラジャーにおいて、一対の縦テープ部材には芯材が取り付けられている、ことを特徴としている。
【０００９】
さらに、一対の縦テープ部材は、カップ部の外側部に取り付けられた伸縮性リフトアップ部材の側縁に設けられたテープであり、一層のリフトアップ効果を得られる。
【発明の効果】
【００１０】
本発明のブラジャーを着用することにより、バストを適切に持ち上げ、且つ、内側に寄せることができる。
【図面の簡単な説明】
【００１１】
【図１】本発明の第１実施例の正面図である。
【図２】本発明の第１実施例の背面図である。
【発明を実施するための形態】
【実施例１】
【００１２】
図１に示されているのは、本発明の実施例であるブラジャー１である。ブラジャー１は、左右一対のカップ部２（２１，２２）、カップ部２を連結する土台部３、カップ部２（２１，２２）から側方（図１中、左右方向）に延びる一対のバック部４（４１，４２）、カップ部２（２１，２２）の上端に一端が縫着され、係止部７に他端が縫着されている一対のストラップ５（５１，５２）を有する。
【００１３】
カップ部２（２１，２２）は３枚の生地を接ぐことによって立体感を出しており、クッション性と所定の厚さを有する生地２３及び生地２４、不図示の生地からなる。カップ部２（２１，２２）の表側には、レース２５を縫着している。本実施例において、生地２３と生地２４及び前述の不図示の生地は、不織布を素材としている。本実施例では、パッドポケットＰが設けられているが、必ずしも必要なものではない。なお、本実施例では、カップ部２（２１，２２）の３枚の生地は不織布からなるが、これに限定されないのは当然である。ダブルラッセル、ウレタン等であってもよい。  
【００１４】
土台部３は、非伸縮性生地であるマーキゼットをカップ部２（２１，２２）の間に縫着することにより、構成される。このようにして、土台部３においては、のカップ部２（２１，２２）間の伸びを止めることにより、着用者の動作によってカップ部２が必要以上に動くことを防止している。
【００１５】
カップ部２（２１，２２）の下縁に沿って略Ｕ字形帯状のワイヤーチャネル６を縫着する。ワイヤーチャネル６の中には、不図示のワイヤーが封入されている。ワイヤーチャネル６の長さ方向（図１中、左右方向）の両端はそれぞれ縫着され、ワイヤーの飛び出しを防いでいる。
【００１６】
カップ部２（２１，２２）から側方に延びる第一及び第二のバック部４１，４２は、パワーネットからなり、伸縮性を有する。第一及び第二のバック部４１，４２は、上縁と下縁に伸縮性のテープが縫着され、カップ部２（２１，２２）よりの所定箇所に芯材（不図示）が縫着されている。本実施例では、第一及び第二のバック部４１，４２は、パワーネットからなるが、伸縮性を有する生地であれば、これに限定されない。例えば、ツーウェイトリコット、サテンネットでもよい。
【００１７】
図１のように、第一及び第二のバック部４１，４２の先端には、雄雌の係止部７が縫着され、ブラジャー１の着用時に着脱可能となっている。
【００１８】
一端がカップ２（２１，２２）の上端部に縫着され、他端が係止部７の近傍に縫着されている、一対のストラップ５（５１，５２）は、伸縮性のある帯状素材からなり、途中で連結具を介して連続している。なお、連結具は必須のものではなく、ストラップ５（５１，５２）は、カップ２（２１，２２）の上端部から係止部７の近傍まで連続していてもよい。
【００１９】
カップ部２（２１，２２）の外側部（カップ部２においてバック部４寄りの部分）のにはパワーネットからなるリフトアップパーツ８が取り付けられている。リフトアップパーツ８は略三日月状であり、一部の縁部８１が、カップ部２の上端部から外側縁部に沿って下端部近傍まで縫着され、それ以外の縁部８２がカップ２に縫着されず、フリーとなっている。
【００２０】
縁部８２に沿って、帯状の縦テープ部材９が縫着され、縦テープ部材９には、芯材が取り付けられている。縦テープ部材９は袋状となっており、長さ方向の両側がリフトアップパーツ８に縫着され、その中に不図示の芯材が封入されている。なお、本実施例においては、縦テープ部材９は非伸縮性の部材からなる。
【００２１】
芯材は、プラスチック製ボーン、金属、一定の強度を有する布や紙等、一定の剛性と可撓性を有するものであれば、何でもよい。
【００２２】
第一のバック部４１の表側にあり、第一のカップ部２１から係止部７まで至る第一のパネル１１は、パワーネットからなり、一端部１１１がカップ部２の外側縁部に、下辺部１１２がバック部４に、他端部１１３が係止部７に、外側上辺部１１４が第一のストラップ５１に、それぞれ縫着されている。内側上辺部１１５は、どこにも縫着されず、フリーの状態となっている。
【００２３】
第一のパネル１１は、第一のカップ部２１から係止部７方向に行くに従って幅が広くなり、第一のストラップ５１と交わる箇所で幅が最大となる。そこから、係止部７方向に行くに従って幅が狭くなる。
なお、第二のパネル１２も、第一のパネル１１と同じ構成となっている。
本実施例では、第一のパネル１１と第二のパネル１２は、パワーネットからなるが、伸縮性を有する生地であれば、これに限定されない。例えば、ツーウェイトリコット、サテンネットでもよい。
【００２４】
第一のパネル１１の一端部１１１の上端部から第一のカップ部２１の下縁部近傍を通り、土台部３と第二のカップ部２２下縁部近傍を通り、第二のパネル１２の一端部１２１の上端に至る帯状の横テープ部材１０が、カップ部２の表側に設けられている。
横テープ部材１０は、一本の連続した帯状テープ部材であり、一端が、第一のパネル１１の一端部１１１の上端部に縫着され、他端が、第二のパネル１２の一端部１１２の上端部に縫着され、さらに、土台部３において縫着されている。それ以外の部分は、縫着されずフリーとなっており、第一のカップ部２１と第二のカップ部２２には、全く縫着されていない。本実施例においては、横テープ部材１０は非伸縮性の部材からなる。
なお、本実施例においては、縦テープ部材９と横テープ部材１０は非伸縮性の部材からなるが、伸縮性部材であってもよい。
【００２５】
縦テープ部材９と横テープ部材１０は、図１に示されているように、第一のカップ部２１と第二のカップ部２２のそれぞれの外側下方部において交差する。
【００２６】
横テープ部材１０には、第一のカップ部２１と第二のカップ部２２の表側箇所において、芯材が取り付けられている。横テープ部材１０は袋状となっており、その中に不図示の芯材が封入されている。なお、本実施例では、横テープ部材１０には芯材が取り付けられているが、必ずしも必要ではない。
【００２７】
芯材は、プラスチック製ボーン、金属、一定の強度を有する布や紙等、一定の剛性と可撓性を有するものであれば、何でもよい。
【００２８】
次に、本実施例のブラジャー１を着用した際の作用について説明する。
図１に示されているように、縦テープ部材９はカップ２（２１，２２）の外側部を通り、横テープ部材１０はカップ２の下側部を通る。すなわち、ブラジャー１を着用した際、縦テープ部材９は乳房の中心より外側にあり、横テープ部材１０は乳房の中心より下側にある。
【００２９】
第一及び第二のバック部４１，４２、一対のストラップ５と第一のパネル１１，第二のパネル１２は、伸縮性を有するので、ブラジャー１を着用すると、ストラップ５から連続する縦テープ部材９は上方向（図１中、上方向）に引っ張られる。さらに、第一のパネル１１、第二のパネル１２と連続している横テープ部材１０は、外側に引っ張られる。
ここで、横テープ部材１０は、バック部４１（４１，４２）と第一のパネル１１，第二のパネル１２より、元に戻ろうとする力が強い。
【００３０】
これによって、バストを上に持ち上げると共に、内側に寄せることができる。さらに、縦テープ部材９と横テープ部材１０には芯材が設けられており、カップ部２（２１，２２）がバストによって押されたとしても、カップ部２の形状が崩れることない。
従って、本実施例のブラジャー１を着用すると、バストが外側に流れることなく、美しいバストラインを作ることができる。
【実施例２】
【００３１】
第１の実施例のブラジャーでは、パワーネットからなる第一及び第二のパネル１１，１２を設けたが、その代わりに伸縮性のある帯状テープを用いてもよい。すなわち、伸縮性帯状テープの両端をそれぞれカップ部２（２１，２２）の外側縁とストラップ５（５１，５２）の所定箇所に縫着する。さらに、横テープ部材１０の両端を上記伸縮性帯状テープの、カップ部２（２１，２２）近傍に縫着する。
【００３２】
この場合、上記の伸縮性帯状テープは、第一及び第二のパネル１１，１２よりも元に戻る力が強くなければならない。帯状テープであるため、第一及び第二のパネル１１，１２よりも面積が小く、単位あたりの戻る力が大きくなければ、第１の実施例の場合と同様の作用を得られないからである。
【００３３】
横テープ部材１０は、上記の伸縮性帯状テープと、同一部材であっても異なる部材であってもよい。すなわち、上記の伸縮性帯状テープは、第一のストラップ５１の所定位置から第二のストラップ５２の所定位置まで連続していてもよい。他方、（００３１）で記載したように、伸縮性帯状テープの両端をそれぞれカップ部２（２１，２２）の外側縁とストラップ５（５１，５２）の所定箇所に縫着し、別部材である横テープ部材１０の両端を、上記伸縮性帯状テープのカップ２１，２２近傍に縫着してもよい。この場合、別部材である横テープ部材１０は、伸縮性、非伸縮性のどちらでもよい。
【００３４】
第２の実施例においても、横テープ部材１０に芯材が取り付けられていてもよいが、必ずしも必要ではない。
この構成でも、第１の実施例のブラジャーと同様の効果を得ることができる。
【符号の説明】
【００３５】
１  ブラジャー
２  カップ部
３  土台部
４  バック部
５  ストラップ
６  ワイヤーチャネル
７  係止部
８  リフトアップパーツ
９  縦テープ部材
１０  横テープ部材
１１  第一のパネル
１２  第二のパネル
【図１】
2014214400.tif 000003
【図２】
2014214400.tif 000004